(57)【要約】【課題】ソール部分が着脱調整可能であり、軽いソール部材を装着しても重心位置が高くならないようにした中空ゴルフクラブヘッドを提供する。【解決手段】ヘッド本体に対してソール部材が交換可能に着脱される中空構造の金属製のゴルフクラブヘッドであって、交換されるソール部材は、重量が異なる２つ以上のタイプを備えており、軽量のソール部材１０Ａの重心ＧＳの高さは、それよりも重いソール部材の重心高さに対して、低くなるように構成されていることを特徴とする。【選択図】  図９
2018126189.tif 000002
【特許請求の範囲】
【請求項１】
ヘッド本体に対してソール部材が交換可能に着脱される中空構造の金属製のゴルフクラブヘッドであって、
前記交換されるソール部材は、重量が異なる２つ以上のタイプを備えており、
軽量のソール部材の重心高さは、それよりも重いソール部材の重心高さに対して、低くなるように構成されていることを特徴とするゴルフクラブヘッド。
【請求項２】
前記軽量のソール部材は、それよりも重いソール部材に対して、ソール面側の接地面積が広く構成されていることを特徴とする請求項１に記載のゴルフクラブヘッド。
【請求項３】
前記軽量のソール部材は、比重の異なる複数材料を具備し、高比重材料をソール面側に配設したことを特徴とする請求項１又は２に記載のゴルフクラブヘッド。
【請求項４】
前記軽量のソール部材をヘッド本体に装着したときのヘッドの重心位置の高さは、それよりも重いソール部材をヘッド本体に装着したときのヘッドの重心位置の高さと略同一になることを特徴とする請求項１から３のいずれか１項に記載のゴルフクラブヘッド。
【請求項５】
前記重いソール部材に対して軽量なソール部材を装着した際の質量余力分の重量部材をヘッド本体に装着したことを特徴とする請求項１から４のいずれか１項に記載のゴルフクラブヘッド。
【請求項６】
中空構造の金属製のゴルフクラブヘッドのヘッド本体に対して交換可能に着脱される複数のソール部材であって、
前記ソール部材は、重量が異なる２つ以上のタイプを備えており、
軽量のソール部材の重心高さは、それよりも重いソール部材の重心高さに対して、低くなるように構成されていることを特徴とするソール部材。
【請求項７】
前記軽量のソール部材は、それよりも重いソール部材に対して、ソール面側の接地面積が広く構成されていることを特徴とする請求項６に記載のソール部材。
【請求項８】
前記軽量のソール部材は、比重の異なる複数材料を具備し、高比重材料をソール面側に配設したことを特徴とする請求項６又は７に記載のソール部材。
【発明の詳細な説明】
【技術分野】
【０００１】
本発明は、中空ゴルフクラブヘッドに関し、詳細には、ソール部分を交換可能にした中空ゴルフクラブヘッド及びソール部材に関する。
【背景技術】
【０００２】
一般的に、中空構造の金属製のゴルフクラブヘッド（中空ゴルフクラブヘッド；以下、「ヘッド」とも称する）は、複数の外殻体（フェース部、クラウン部、ソール部等）を接合した一体化構造となっている。通常、ヘッドを構成する外殻体は、鋳造や鍛造等によって形成されており、ヘッドは、各外殻体を溶接や接着などによって一体化することで構成されている。
【０００３】
或いは、一部の外殻体を、他の一体化した状態の外殻体（以下、ヘッドを構成している外殻体の内、一部の外殻体が除かれた状態のものを「ヘッド本体」と称する）に対してピンなどの接合部材で固着することでヘッドを構成したものも知られている。例えば、特許文献１には、ヘッド本体に対して別体となるソール部材を単一平面に沿って面接し、ソール部材をヘッド本体に対してボルト止めしたヘッドが開示されている。また、本件特許出願人は、先の出願である特許文献２において、ヘッド本体に対して、複数種類のソール部材を準備しておき、ユーザの好みやスイング特性等に応じてソール部材を選択し、これを締結部材によって着脱可能に交換できるヘッドを提案している。
【先行技術文献】
【特許文献】
【０００４】
【特許文献１】特表２００２−５２８２３８号
【特許文献２】特開２０１５−１６７７４２号
【発明の概要】
【発明が解決しようとする課題】
【０００５】
上記した特許文献１に開示されたヘッドは、ソール部材が交換できる構造でないため、ユーザの多様なニーズに応えることはできない。これに対して、特許文献２に開示されたヘッドは、形状が異なる複数種類のソール部材の中から、ユーザの好みやスイング特性等に応じて適切なソール部材を装着することは可能であるものの、重量や、ソール部材を装着したときのヘッドの重心位置については考慮されていない。
【０００６】
例えば、ユーザによっては、軽量化したソール部材を装着することで、ヘッドを軽量化したいと考えるケースもあるが、軽量化したソール部材を装着すると、ヘッドの下側が軽くなりヘッドの重心位置が高くなってしまう。そのため、ヘッドそのものは軽量化できるものの、スイートスポットの位置が高くなってしまい、スピン量が増加したりフェースの下側で打球したときの反発力が低下する等、飛距離が出なくなってしまう。
【０００７】
本発明は、上記した問題に着目してなされたものであり、ユーザの好みに応じてソール部分を着脱調整可能にする中空ゴルフクラブヘッドにおいて、軽いソール部材を装着しても重心位置が高くならないようにした中空ゴルフクラブヘッド、及び、中空ゴルフクラブヘッドに着脱されるソール部材を提供することを目的とする。
【課題を解決するための手段】
【０００８】
上記した目的を達成するために、本発明は、ヘッド本体に対してソール部材が交換可能に着脱される中空構造の金属製のゴルフクラブヘッドであって、前記交換されるソール部材は、重量が異なる２つ以上のタイプを備えており、軽量のソール部材の重心高さは、それよりも重いソール部材の重心高さに対して、低くなるように構成されていることを特徴とする。
【０００９】
上記した構成の中空ゴルフクラブヘッドは、ソール部材がヘッド本体に対して着脱できる構造となっている。着脱されるソール部材は、重量が異なる２以上のタイプが準備されており、ユーザの好みやスイング特性等に応じて適切なソール部材を選択して装着することが可能となっている。この場合、軽量のソール部材を装着しても、その重心位置は、それよりも重いソール部材の重心位置よりも低くなっていることから、このソール部材をヘッド本体に装着しても、ヘッドの重心位置の上昇を抑えることが可能となる。すなわち、ソール部材を軽いものに付け替えることで、ヘッドそのものを軽量化してスイングスピードの向上が図れるとともに、ヘッドの重心位置を大きく上昇させることはないため、打球時にスピン量が増大したり、フェース下部で打球した際の反発力の低下が抑制されるようになり、打球の飛距離が低下することはない。
【００１０】
また、本発明は、上記したようなヘッド本体に対して交換可能に着脱される複数のソール部材を特徴とするものであり、ソール部材は、重量が異なる２つ以上のタイプを備え、軽量のソール部材の重心高さは、それよりも重いソール部材の重心高さに対して、低くなるように構成されていることを特徴とする。
【００１１】
なお、上記したようなソール部材を２つ準備する場合、軽いソール部材は、重いソール部材に対して重心位置が低くなるように構成されたものであれば良い。また、上記したようなソール部材を３つ以上準備する場合、少なくともその中の２つのソール部材同士が上記した関係を満足していれば良い。
【発明の効果】
【００１２】
本発明に係る中空ゴルフクラブヘッド及びソール部材によれば、ユーザの好みに応じてソール部分を交換する場合において、軽いソール部材を装着してもヘッドの重心位置が高くなることはなく、飛距離が低下することはない。
【図面の簡単な説明】
【００１３】
【図１】本発明に係る中空ゴルフクラブヘッドの一実施形態を示す平面図。
【図２】図１に示す中空ゴルフクラブヘッドをソール側から見た図。
【図３】図１に示す中空ゴルフクラブヘッドを正面から見た図。
【図４】図１に示す中空ゴルフクラブヘッドをトウ側から見た図。
【図５】ソール部材をヘッド本体から取り外した状態を示す分解斜視図。
【図６】ソール部材を示す図であり、（ａ）は正面図、（ｂ）は裏面図、（ｃ）は図（ｂ）のＡ−Ａ線断面図、（ｄ）は斜視図、（ｅ）は平面図。
【図７】図６に示すソール部材よりも軽量化されたソール部材の第１の例を示しており、当該ソール部材を装着した中空ゴルフクラブヘッドをソール側から見た図。
【図８】図７に示す中空ゴルフクラブヘッドをトウ側から見た図。
【図９】図７のソール部材を示す図であり、（ａ）は正面図、（ｂ）は裏面図、（ｃ）は図（ｂ）のＢ−Ｂ線断面図、（ｄ）は斜視図、（ｅ）は平面図。
【図１０】図６に示すソール部材よりも軽量化されたソール部材の第２の例を示しており、当該ソール部材を装着した中空ゴルフクラブヘッドをソール側から見た図。
【図１１】図１０に示す中空ゴルフクラブヘッドをトウ側から見た図。
【図１２】図１０のソール部材を示す図であり、（ａ）は正面図、（ｂ）は裏面図、（ｃ）は図（ｂ）のＣ−Ｃ線断面図、（ｄ）は斜視図、（ｅ）は平面図。
【図１３】軽量化されたソール部材を装着した中空ゴルフクラブヘッドにおいて、質量余力分の重量部材の第１の装着例を示す図。
【図１４】図１３に示す中空ゴルフクラブヘッドの平面図。
【図１５】軽量化されたソール部材を装着した中空ゴルフクラブヘッドにおいて、質量余力分の重量部材の第２の装着例を示す図。
【図１６】図１５に示す中空ゴルフクラブヘッドの平面図。
【図１７】軽量化されたソール部材を装着した中空ゴルフクラブヘッドにおいて、質量余力分の重量部材の第３の装着例を示す図。
【図１８】図１７に示す中空ゴルフクラブヘッドをトウ側から見た図。
【発明を実施するための形態】
【００１４】
以下、本発明に係る中空ゴルフクラブヘッドの一実施形態について説明する。なお、本発明の中空ゴルフクラブヘッド（以下、ヘッドとも称する）は、ソール部分となるソール部材が着脱可能となっており、上述したように、本発明ではヘッドからソール部材が取り外された状態のものを「ヘッド本体」と定義するようにしている。
【００１５】
ヘッド本体は、一般的に知られているように、鋳造や鍛造等によって形成された複数の外殻体を、溶接や接着などによって一体化した構造となっており、このように一体化された構造(ヘッド本体)に対して、ユーザの好みに応じて複数種類のソール部材が準備され、各ソール部材がヘッド本体に対して着脱可能に構成されている。ここで交換されるソール部材は、外観形状が同一（略同一も含む）で重さが異なるもの、或いは、外観形状が異なるとともに重さも異なるものが含まれており、少なくとも２つ以上のソール部材が準備される。
【００１６】
図１から図６は、ヘッド本体に対して、あるソール部材（対比説明する上で基準ソール部材とも称する）、及びそれを装着したヘッドを示しており、図７から図９は、同一のヘッド本体に対して、基準ソール部材よりも軽量化された別のソール部材、及びそれを装着したヘッドを示している。なお、これらの図では、ヘッドとして、フェアウェイウッドタイプ（ロフト角が１７度の４番ウッド）を例示するが、本発明は中空構造の各種のウッド型タイプのヘッド（ドライバー、ユーティリティなど）に適用することが可能である。
【００１７】
本実施形態のヘッド１は、打球面（フェース面）を有するフェース部２と、フェース部２の上縁から後方に延出するクラウン部３と、フェース部２の下縁から後方に延出するソール部５と、フェース部２と対向するバック部６と、フェース部２からバック部６を経由するトウ部７及びヒール部８と、を備えている。なお、バック部６、トウ部７、ヒール部８は、前記クラウン部３及びソール部５の縁部を繋ぐことから、これらをサイド部とも称する。また、ソール部５に関しては、上記のように、その領域が着脱される構造となっていることから、着脱される部分をソール部材１０とし、残った部分をソール側５Ａと称する。すなわち、ソール部材１０は、フェース部２、クラウン部３、ソール側５Ａ、バック部６、トウ部７、ヒール部８を備えたヘッド本体１Ａに対して着脱される。
【００１８】
ヘッド本体１Ａは、様々な位置で分割した複数の外殻部材（外殻体）同士を溶着、接着等によって接合することで構成されている。それぞれの外殻部材は、例えば、チタン合金、アルミ系合金、マグネシウム合金等を鋳造、プレス成形することで一体形成することができ、それぞれの端縁領域を溶接等することによってヘッド本体１Ａが作成される。この場合、ヘッド本体１Ａを構成する外殻部材は、サイド部とソール側を一体化したり、クラウン部とサイド部を一体化する等、複数の部材、或いは各部材の部分的な構成要素を鋳造等で一体形成しておき、それらを溶着、接着等によって固定したものであっても良い。このため、各部の境界は、必ずしも稜線によって明確に区画されていなくても良く、バック部６、トウ部７、ヒール部８については、クラウン部３とソール部５とを境界なく連続的に繋ぐような曲面で構成されていてもよい。
【００１９】
前記フェース部２については、例えば、チタン、チタン合金等を、プレス加工、ＮＣ加工（ＣＮＣ加工を含む）、或いは鍛造等することで一体形成されており、上記した溶接以外にも、例えば、レーザ溶接、ろう付け、接着等によって他の外殻部材に対して接合することが可能である。本実施形態のフェース部２は、板状に形成されており、これをクラウン部３、ソール部５及びサイド部（トウ部７及びヒール部８）の前端開口に接合することで構成されている。勿論、フェース部２に関しては、打球面を板状に構成しておき、これをフェース部に形成された開口に止着したり、或いは、カップ状に形成し、これをクラウン部、ソール部、及びサイド部の前端に形成された開口に接合して構成しても良い。このような構成では、カップ状のフェース部は、クラウン部、サイド部、ソール部の一部を構成している。なお、ヘッド本体の材料については、小さい容量のヘッド（ユーティリティヘッド）の場合は、フェース部材も含めてステンレス系合金を用いても良い。
【００２０】
本実施形態のヘッド１は、クラウン部及びソール部のフェース側に溝３ａ，５ａが形成されている。溝３ａは、図１に示すように、その両端部がトウ側及びヒール側のエッジ付近で終端するように形成され、溝５ａは、図２に示すように、その両端部がサイド部とクラウン部とエッジ付近で終端するように形成されている。このように、ヘッドのフェース側に溝を形成しておくことで、打球時にフェース部に作用する衝撃を緩和して、衝撃が直接ソール部材１０に伝達しないようにすることが可能となり、かつ、フェース部が撓み易くなって、ボールの飛距離を向上することが可能となる。この場合、溝の形状、深さ、溝幅、及び、その部分におけるヘッドの肉厚については、フェース部の撓み性及び衝撃緩衝効果等を考慮して種々変形することが可能である。なお、本発明のヘッドは、上記のような溝を形成しない構成であっても良い。
【００２１】
前記ヘッド１には、シャフト（図示せず）の先端を止着するホーゼル部９が一体形成されている。前記ホーゼル部９は、クラウン部３のフェース・ヒール側から上方に突出するように設けられており、この開口穴９ａにシャフトの先端部を嵌合・止着することでゴルフクラブが構成される。
【００２２】
上記したように、ヘッド本体のソール側５Ａには、ヘッド本体とは別部材であるソール部材１０が締結部材３０によって着脱可能に装着される。ソール部材１０は、重さが異なる少なくとも２以上のタイプが準備され、各ソール部材は、同一の締結部材３０及びソール側に対する同一の着脱構造によって、ユーザに適したものが装着される。着脱は、ユーザ自身が行っても良いし、専門のショップで行なっても良い。なお、準備されるソール部材１０については、ＮＣ（ＣＮＣ）加工によって形成することが好ましく、ソール部材とヘッド本体の接合面（本実施形態では平坦面とされる）については、ＮＣ加工することによって、両者の密着状態（位置決め）を高精度に出すことができる。特に、ソール部材については、そのような平坦面に加え、証となる円形突部、及び、ネジ孔、更には、その輪郭についてもＮＣ加工する（好ましくは治具への一度の固定状態でＮＣ加工する）ことによって、円形突部の平坦面に対する垂直度を精度良く出すことができる等、ソール部材の精度を向上することができ、かつ、複数準備されるソール部材についても、同様な加工を施すことにより、全てのソール部材を同精度で製造することが可能となる。
以下、ソール部材の具体的な構成について説明する。
【００２３】
最初に、図５及び図６を参照して、基準となるソール部材１０及びその着脱構造について説明する。
ヘッド本体１Ａのソール側５Ａの溝５ａよりもバック側には、ソール部材１０の形状に合せて凹所５ｂが形成されている。この凹所５ｂによって形成される内壁５ｃは、装着されるソール部材１０の回転を規制する役目を果たしている。前記凹所５ｂの底面５ｄは、装着されるソール部材が面接される平坦面となっており、その中央部分には円形状の開口５ｅが形成されている。また、底面５ｄには、前記開口５ｅの周囲でソール部材１０を装着できるように、締結部材３０用のネジ孔５ｆが複数個所（本実施形態では３箇所）形成されている。
【００２４】
前記ソール部材１０には、前記凹所５ｂの底面５ｄと面接する平坦面１０ａが形成されるとともに、その平坦面１０ａの中央領域に、前記開口５ｅに嵌合する断面円形の突部１０ｂが突出形成されている。このソール部材１０の突部１０ｂを、ソール側の開口５ｅに嵌合すると、ソール部材の外周縁１０ｃは、前記凹所５ｂの内壁５ｃに当接（僅かに隙間が生じた状態でも良い）して、ソール部材１０の回転が規制されるようになっており、付け替えられるソール部材について、ヘッド本体との間で証を出し易い構造となっている。なお、前記突部１０ｂは、円柱状に構成しても良いが、本実施形態では、肉抜きして円筒形状に構成されており、ソール部材１０を低重心化するようにしている（重心位置をＧＳで示す）。また、開口５ｅについては、後述する重量部材をヘッド本体内に接着し易いように、指が挿入できる程度に形成することが好ましい。
【００２５】
また、ソール部材１０には、締結部材３０用のネジ孔１０ｄが複数個所（本実施形態では３箇所）形成されており、ソール部材１０を前記凹所５ｂに装着すると、そのネジ孔１０ｄは、ヘッド本体側のネジ孔５ｆと一致し、締結部材３０を螺入できるようになっている。また、ソール部材１０の平坦面１０ａには、必要に応じて凹所１０ｅ（１箇所でも良いし、複数個所でも良い）を形成しておいても良く、このような凹所を形成することによりソール部材１０そのものを低重心化することが可能となる。さらに、ソール部材１０の下面（地面と対向する接地面）１０ｆは、スイングした際の抜けが良くなるように、全体的に湾曲状に形成されている。
【００２６】
ここで、上記したヘッド本体１Ａ、基準となるソール部材１０、及びソール部材１０が装着されたヘッド１の重量、重心位置等について具体的に説明する。
ヘッド本体１Ａは、チタン合金を鋳造して形成された複数の外殻部材を溶着した構造となっており、その重量は１１０ｇとなっている。このヘッド本体１Ａには、図５に示すように、３つの締結部材（ネジ；Ｍ６程度で１つ２．５ｇ）３０を螺合することで、基準となるソール部材１０が装着される。
【００２７】
ソール部材１０は、ステンレス等の鉄系の合金によって形成されており、その重量は９５ｇとなっている。本実施形態のソール部材１０は、平坦面１０ａがソール側５Ａの凹所５ｂの平坦となった底面５ｄに面接してヘッド本体１Ａに装着されることから、この平坦面１０ａを基準面にすると、その重心ＧＳの位置は、基準面の下方（Ｔ＝３．２３ｍｍ）の位置に存在している（図６（ｃ））。
【００２８】
このため、ソール部材１０をヘッド本体１Ａに装着すると、その総重量は２１４ｇとなる（図示しないが、ソール部材１０をヘッド本体に装着するに際しては、適所にゴムパッキン等の部材が用いられており、その重量は１．５ｇとなっているため、総重量は２１４ｇとなる）。この結果、ヘッド１の重心Ｇの位置は、図４で示す位置に存在しており、その重心位置からフェース部２に垂線を下したときの交点位置であるスイートスポットＳＳの高さＨは、２１．６６ｍｍとなっている。
【００２９】
本発明では、上記した構成の基準となるソール部材１０に対して、図９に示すような重量が異なる別のソール部材１０Ａが用意されている。ここで、付け替えられるソール部材の第１の例について、図８及び図９を参照して説明する。なお、図６に示した上記の基準となるソール部材１０と同じ構成要素については、同一の参照符号を付し、詳細な説明については省略する。
【００３０】
ソール部材１０Ａは、基準となるソール部材１０に対して重量が異なる（軽量化されている）ように形成されており、ステンレス等の鉄系合金によってその重量が８９ｇとなるように形成されている。このようにソール部材１０Ａは、ソール部材１０に対して６ｇの軽量化が図られているが、その重心高さについては、ソール部材１０に対して低くなるように形成されている。本実施形態では、全体として重量が下方側に偏重するような形状となっており、ソール面側の接地面積が広くなるように、その接地面１０ｆ´が略平面状になるように形成されている。すなわち、ソール部材１０のように、接地面１０ｆが全体的に湾曲状になった形状と比較して、最も下端領域となる部分を平面状にすることで、効率的に重量を下方側に偏重させることが可能となる。具体的に、接地面１０ｆ´は、重心位置が平坦面１０ａを基準面として、その下方（Ｔ＝３．７７ｍｍ）の位置に存在する（図９（ｃ））ように形成されており、基準となるソール部材１０と比較すると、重心高さが０．５４ｍｍ低くなるように構成されている。
【００３１】
上記したソール部材１０Ａをヘッド本体１Ａに装着すると、その総重量は２０８ｇとなリ、ヘッド１としての重心Ｇの位置は、図８で示すように、図４で示した構成と比較すると下方に変位し、その重心位置からフェース部２に垂線を下したときの交点位置であるスイートスポットＳＳの高さＨは、２１．４５ｍｍ（基準ソール部材に対して０．２１ｍｍ低い）となる。すなわち、ソール部材を付け替えることで、ヘッドの総重量の軽量化を図りつつ、重心位置（スイートスポット）が上昇しないため、ヘッドの軽量化によるスイングスピードの向上が図れるとともに打球時のスピン量の増大及びフェース部下部で打球した際の反発力の低下が抑制され、飛距離の低下が生じることもない。特に、ドライバー以外のゴルフクラブでは、ティーアップしないケースが多く、フェース部の下部での打球性能は重要となるが、上記したようにソール部材を付け替えても、打球性能が低下するようなことはない。
【００３２】
図１０から図１２は、付け替えられるソール部材の第２の例を示す図である。
このソール部材１０Ｂは、比重の異なる複数の材料で構成されている。具体的には、ソール部材１０Ｂの本体をステンレス（比重；７．８）で構成し、ここに、それよりも比重の重いタングステン合金（比重；１０〜１７）をソール面側に組み込むことでソール部材の低重心化を図っている。具体的には、ソール部材１０の下面１０ｆ´´を、図９で示した第１の例と比較して平面領域が少なくなるように構成しており、この平面領域に、タングステン合金による板状で円形状の重量部材２０を組み込んでいる。このため、ソール部材１０Ｂの本体には、ソール側の開口５ｅに嵌合する断面円形の突部１０ｂの下方に凹所１０ｈが形成されており、この部分に重量部材２０が下方に露出するように取着されている（図１２（ｃ））。また、重心位置は平坦面１０ａを基準面として、その下方（Ｔ＝３．５８ｍｍ）の位置に存在するように形成されており、基準となるソール部材１０と比較すると、重心高さが０．３５ｍｍ低くなるように構成されている。
【００３３】
上記したソール部材１０Ｂをヘッド本体１Ａに装着すると、その総重量は２０８ｇとなリ、ヘッド１としての重心Ｇの位置は、図１１で示すように、図４で示した構成と比較すると下方に変位し、その重心位置からフェース部２に垂線を下したときの交点位置であるスイートスポットＳＳの高さＨは、２１．５９ｍｍ（基準ソール部材に対して０．０７ｍｍ低い）となる。すなわち、ソール部材を付け替えることで、ヘッドの総重量の軽量化を図りつつ、重心位置（スイートスポット）が上昇しないため、前記ソール部材１０Ａと同様、スイングスピードの向上、打球時のスピン量の増大及びフェース部下部で打球した際の反発力の低下が抑制され、飛距離の低下が生じることもない。
【００３４】
なお、第２の例のソール部材１０Ｂは、地面側に露出する部分の平面領域がソール部材１０Ａと比較して小さいため、ライの適応性が高くなる。すなわち、ライの適応性を高くしながら、ヘッドの軽量化と低重心化を図ることが可能となる。
【００３５】
上記したように、基準となるソール部材に対して、軽量化を図りつつ、その重心を下げる構成としては、第１の例のように同一の材料を用いながら下側に重量偏倚させる手法、及び、複数の材料を用い、ソール面側に高比重材料を配設する手法がある（勿論、両者を組み合わせて実施しても良い）。前者の例では、下方に肉厚部を形成したり、上方側に凹所を形成する等、その形状を適宜変形すれば良い。また、後者の例では、高比重材料の配設位置を適宜変更したり、高比重材料を複数の個所に配設しても良い、或いは、高比重材料を組み込む以外にも、低比重材を組み込むようにしても良い。例えば、ソール部材をステンレス材で構成し、その上方側に低比重のチタン合金を配設する等、適宜変形することが可能である。また、重心ＧＳの位置については、基準となるソール部材と、トウ・ヒール方向及びフェース・バック方向の略同一の位置で、下側にシフトさせることが好ましい。すなわち、１つのヘッド本体に対して交換されるソール部材間では、重心深度の位置やトウ・ヒール方向やフェース・バック方向の位置が大きく変わらないことが好ましく、変える場合には、後述するように、軽量化した質量余力分で調整することが好ましい。
【００３６】
次に、ヘッド重量を軽量化する上でのメリットについて説明する。
上記したように、ソール部材を付け替えることでヘッドの重量が軽くなるため、シャフトの長さを長くしてヘッドスピードを向上することができ、飛距離を伸ばすことが可能となる。この場合、シャフトは半インチ長くすると、ウッドクラブの場合、ヘッドは４ｇ軽くしないと同一バランスにならないことから、基準となるソール部材を装着していた場合において、軽量化したソール部材を付け替えるのであれば、その重量差は４ｇ以上あることが好ましい。なお、シニア用、或いは、レディース用としてヘッドを軽い重量にしてシャフトを長くすることなく、スイングバランスを軽くすることで楽にスイングできるようなクラブ構成にしても良い。その場合は、軽くて柔らかいシャフトを用いることが好ましい。
【００３７】
また、本発明の構成によれば、低重心化を図りつつ軽量なヘッドを構築するに際して、単にソール部材を付け替えるだけで、そのような特性が得られることから、ヘッド設計が容易になる。特に、比重の重い材料をソール側に配設したソール部材では、基準となるソール部材と外形状を略同一にすることが容易になるため、ソール部材の設計が容易になる。また、比重の重い材料を付加するだけで良いことから、ソール部材の形状の自由度が増す。この場合、ヘッドが軽量化されても、上記したように、スイートスポットの位置は高くならないため、スピンが多くなって飛距離が損なわれることは無い。
【００３８】
なお、スイートスポットの高さについては、ヘッドが軽量化された際に、低くなる（基準のソール部材を装着した際のスイートスポット位置の高さ以下）ようにすることで、低重心化を図りつつ軽量なヘッドを容易に設計することが可能となるが、スイートスポットの高さについては、基準のソール部材との間で略一致（変化しない）するようにしても良い。すなわち、ソール部材を付け替えてもスイートスポットの高さが大きく変化しなければ、プレーヤは、同様な打球感覚を得ることが可能となる。具体的には、スイートスポットの高さについては、ソール部材を付け替えても、±０．５ｍｍの範囲内にあれば、同様な打球感覚を得ることが可能である。
【００３９】
以上のように、ソール部材を付け替えることで、ヘッドの総重量を軽くする（６ｇの軽量化）ことが可能となるが、その質量余力分については、それと同等の重量部材（６ｇの重量部材）としてヘッド本体の適所に装着してヘッドのバランスを容易に調整するようにしても良い。
以下、そのような重量部材の装着例について説明する。なお、ソール部材については、図９に示したソール部材１０Ｂを装着したものを図示する。
【００４０】
図１３及び図１４は、重量部材の第１の装着例を示す図である。この装着例では、ヘッド本体のトウ側のサイド壁の内面に重量部材４０を接着した例を示している。重量部材４０は、例えば、タングステン粉と樹脂の複合材をシート状にしたものであり、ソール側に形成された開口５ｅを介してサイド壁の内面に容易に接着することができ、ヘッドの重心位置Ｇをトウ側に変位させることが可能となる（重量部材４０の接着によって変位した重心位置をＧ１で示す）。
【００４１】
このように、ヘッドのトウ側に重量部材４０を装着することで、シャフトの軸から重心までの距離を長くすることができ、ヘッドのターンを抑えることが可能となる。すなわち、打球時にフックを抑制して左に打球し難いゴルフクラブにすることができる。
【００４２】
図１５及び図１６は、重量部材の第２の装着例を示す図である。この装着例では、ヘッド本体のヒール側のサイド壁の内面に第１の装着例と同様な重量部材４０を接着した例を示している。重量部材４０は、ソール側に形成された開口５ｅを介してサイド壁の内面に容易に接着することができ、これにより、ヘッドの重心位置Ｇをヒール側に変位させることが可能となる（重量部材４０の接着によって変位した重心位置をＧ２で示す）。
【００４３】
このように、ヘッドのヒール側に重量部材４０を装着することで、シャフトの軸から重心までの距離を短くすることができ、ヘッドのターンを促進することが可能となる。すなわち、打球時にスライスを抑制して右に打球し難いゴルフクラブにすることができる。
【００４４】
なお、上記した第１の装着例及び第２の装着例では、重量部材をサイド壁の内面に接着するようにしたが、これ以外にも、上記した締結部材を取り付ける部分を重量化するようにしても良い。例えば、図１３に示すように、トウ側に配設される締結部材３０ａを高比重材で構成することで、重心位置をトウ側にシフトすることが可能である。また、ヒール側に配設される締結部材３０ｂを高比重材で構成することで、重心位置をヒール側にシフトすることが可能である。
【００４５】
図１７及び図１８は、重量部材の第３の装着例を示す図である。この装着例では、重量部材を弾道調整に活用した例を示している。すなわち、板状の重量部材４０Ａをソール部材１０Ｂの内面（重量部材２０の内面）に接着した例を示しており、ヘッドの重心位置Ｇをソール側に変位させている（重量部材４０Ａの接着によって変位した重心位置をＧ３で示す）。
【００４６】
このように、ヘッドのソールの内面に重量部材４０Ａを装着することで、スイートスポットＳＳ´の位置を低くすることができ、少ないスピンで打球することができるとともに、トップした際に打球をスイートスポット付近で打球させることができ、トップに強いゴルフクラブにすることができる。
【００４７】
以上、本発明の実施形態について説明したが、本発明は上記した実施形態に示す構造に限定されることは無く、種々変形して実施することが可能である。
本発明は、ヘッド本体に対して着脱されるソール部材が２つ以上あれば良く、ソール部材間で異なる重量のものが存在し、その関係において、軽量のソール部材が、それよりも重いソール部材に対して、重心位置が低くなるように構成されていれば良く、ソール部材の形状、材質、ヘッド本体に対する装着の仕方（接合面や締結方法等）については上記した実施形態に限定されることはなく、種々変形することが可能である。また、ソール部材の重心位置ＧＳを低くする方法としては、形状によるものと材料によるものとを組み合わせて実施しても良い。
また、ヘッド本体の形状についても、適宜、変形することが可能である。
【符号の説明】
【００４８】
１  ヘッド（中空ゴルフクラブヘッド）
１Ａ  ヘッド本体
２  フェース部
３  クラウン部
５  ソール部
５Ａ  ソール側
１０，１０Ａ，１０Ｂ  ソール部材
２０  重量部材
３０  締結部材
４０  重量部材
【図１】
2018126189.tif 000003
【図２】
2018126189.tif 000004
【図３】
2018126189.tif 000005
【図４】
2018126189.tif 000006
【図５】
2018126189.tif 000007
【図６】
2018126189.tif 000008
【図７】
2018126189.tif 000009
【図８】
2018126189.tif 000010
【図９】
2018126189.tif 000011
【図１０】
2018126189.tif 000012
【図１１】
2018126189.tif 000013
【図１２】
2018126189.tif 000014
【図１３】
2018126189.tif 000015
【図１４】
2018126189.tif 000016
【図１５】
2018126189.tif 000017
【図１６】
2018126189.tif 000018
【図１７】
2018126189.tif 000019
【図１８】
2018126189.tif 000020